(57)【要約】仮想プライベート・ネットワークから発生する呼に発呼者識別データをリンクするための方法および装置が開示される。この方法に関するステップは、移動交換局で、識別子を含む呼を受信するステップを含む。識別子は、呼を開始した終端点を識別することになる。この方法はまた、トリガに応答して呼識別情報を含むデータベースにアクセスするステップと、識別子によって呼を発呼者識別データにリンクするステップとを含む。この方法は、呼がセルラＶＰＮから受信されることをも含み得る。この方法を実施するシステムは、識別子に対応する発呼者識別データが格納されたデータベースと、ＶＰＮから呼を受信するように構成された移動交換局と、データベースにアクセスし、呼をリンクするように構成されたアプリケーション・サーバとを含む。
2010515348.tif 000002
【特許請求の範囲】
【請求項１】
仮想プライベート・ネットワークから発生する呼に発呼者識別データをリンクする方法であって、
移動交換局で、識別子を含む仮想プライベート・ネットワークから発生した呼を受信するステップと、
トリガに応答して、発呼者識別データを含むデータベースにアクセスするステップと、
前記識別子によって前記呼を前記発呼者識別データにリンクするステップとを含む方法。
【請求項２】
前記呼がセルラ仮想プライベート・ネットワークから受信される、請求項１に記載の方法。
【請求項３】
前記トリガが、少なくとも部分的に前記識別子によってアクティブ化される、請求項１に記載の方法。
【請求項４】
呼を受信するステップが、前記識別子が、ユーザによって入力されたアクセス・コードであることを含む、請求項１に記載の方法。
【請求項５】
呼を受信するステップが、前記識別子がユーザ装置の電子シリアル番号であることを含む、請求項１に記載の方法。
【請求項６】
データベースにアクセスするステップが、前記仮想プライベート・ネットワークの内部のデータベースにアクセスするステップを含む、請求項１に記載の方法。
【請求項７】
仮想プライベート・ネットワーク内で発生する、識別子を有する呼に発呼者識別データをリンクするためのシステムであって、
前記識別子に対応する前記発呼者識別データが格納されたデータベースと、
仮想プライベート・ネットワークから発生する前記呼を受信し、前記識別子を認識し、トリガに応答してアプリケーション・サーバと通信するように構成された移動交換局と、
前記データベースにアクセスし、前記呼を前記発呼者識別データにリンクするように構成された前記アプリケーション・サーバとを備えるシステム。
【請求項８】
前記識別子が発信電話番号である、請求項７に記載のシステム。
【請求項９】
前記トリガが、入呼の受信によってアクティブ化される、請求項７に記載のシステム。
【請求項１０】
前記呼が国際呼であること、および
前記発呼者識別データにリンクされた前記国際呼を受信するように構成された被呼者の国に置かれた交換機をさらに備える、請求項７に記載のシステム。
【発明の詳細な説明】
【技術分野】
【０００１】
本開示は、ネットワーク内の呼に識別データをリンクするための方法および装置に関する。より具体的には、本開示は、拡張仮想プライベート・ネットワーク（ｅＶＰＮ：ｅｎｈａｎｃｅｄ  ｖｉｒｔｕａｌ  ｐｒｉｖａｔｅ  ｎｅｔｗｏｒｋ）呼に発呼者識別データをリンクするための方法および装置に関する。
【０００２】
本開示は特に、セルラｅＶＰＮから発生する呼に発呼者識別データをリンクすることを対象とし、したがって特にそれに関して述べられているが、本開示は、他の分野および応用例でも有用であり得ることが理解されよう。たとえば、本開示は、それだけに限らないが、仮想プライベート・ネットワーク、拡張仮想プライベート・ネットワーク、セルラ・ネットワーク、ボイス・オーバ・インターネット・プロトコル（ＶｏＩＰ：Ｖｏｉｃｅ  ｏｖｅｒ  Ｉｎｔｅｒｎｅｔ  Ｐｒｏｔｏｃｏｌ）網などを含めて、他のタイプのネットワーク内で使用されてもよい。本開示は、他のタイプのデータ転送網にも有用であり得る。
【背景技術】
【０００３】
背景として、消費者は、一般的な発呼者識別サービスによって入呼が登録される場合に発呼者の名前／番号が表示されることに慣れている。これらのサービスは、多くの電話会社から標準パッケージで提供されている。多くの電話は、組み込まれた発呼者識別表示能力をも有する。多くの携帯電話ＶｏＩＰ網では、このサービスの使用は限定されている。この主な１つの理由は、名前／番号データベースに十分な情報が取り込まれていないということである。ユーザがセルラ・ネットワークまたはＶＰＮから呼び出されるとき多くの場合、名前が空の状態で番号だけが表示される。あるいは、名前がセルラ・ハンドセット・メモリ内に事前にプログラムされている場合、それが表示され得る。そうでない場合、名前と番号の対は、使用できないことがよくある。さらに、呼が公衆交換機（ＰＢＸ：ｐｕｂｌｉｃ  ｂｒａｎｃｈ  ｅｘｃｈａｎｇｅ）などの別のシステムから転送されるとき、あるいは呼がインターネット、または海外の宛先を介してルーティングされるとき、番号対は使用することができない。これらの状況では、被呼者は、発呼者の名前および番号を見る選択肢をもたない。これは、しばしばユーザはそのサービスの代価を支払っており、それを利用することができないので、ユーザにとって苛立たしいことであり得る。さらに、ユーザはこのサービスに慣れており、誰が電話をかけているか分からないときに電話に応答することを不快に感じる。
【０００４】
国際呼をＰＢＸまたはＶｏＩＰ網から公衆網にハンドオフする場合、発呼者情報は、必ずしもネットワークを通って運ばれない。この状況では、ローカルＰＢＸからの番号が表示されるか、または表示が全くない。
【発明の概要】
【発明が解決しようとする課題】
【０００５】
名前／番号対を含むデータベースにアクセスし、さもなければこの情報をもたない呼にこの情報をリンクすることが、この業界において求められている。さらに、この情報が国際網装置を通ってリンクされることを可能にすることが、この業界において求められている。
【０００６】
この開示は、上記に言及された問題およびその他を解決する新しい改良型のものを企図している。
【課題を解決するための手段】
【０００７】
仮想プライベート・ネットワークから発生する呼に発呼者識別データをリンクするための方法および装置が提供される。本開示は、仮想プライベート・ネットワーク内の呼について発呼者識別データを表示することを可能にする。本開示の一態様では、この方法は、移動交換局（ＭＳＣ：ｍｏｂｉｌｅ  ｓｗｉｔｃｈｉｎｇ  ｃｅｎｔｅｒ）への、識別子を含む呼を受信するステップを含む。識別子は、呼を開始した終端点にリンクされてもよい。この方法は、トリガに応答して、発呼者識別データを含むデータベースにアクセスし、識別子によって呼を発呼者識別データにリンクするステップをさらに含む。
【０００８】
本開示の別の態様によれば、この方法は、呼がセルラ仮想プライベート・ネットワークから受信されることを含む。
【０００９】
本開示の別の態様によれば、この方法は、トリガが、受信されたすべての呼によってアクティブ化されることを含む。
【００１０】
本開示の別の態様によれば、この方法は、トリガが、少なくとも部分的には識別子によってアクティブ化されることを含む。
【００１１】
本開示の別の態様によれば、この方法は、識別子が、ユーザによって入力されたアクセス・コードであることを含む。
【００１２】
本開示の別の態様によれば、この方法は、識別子が、ユーザ装置の電子シリアル番号であることを含む。
【００１３】
本開示の別の態様によれば、この方法は、呼が国際呼であることを含む。
【００１４】
本開示の別の態様によれば、この方法は、呼を海外のネットワーク装置にルーティングするステップを含む。海外ネットワーク装置は、国際呼にリンクされた呼識別情報を除外する（ｅｘｅｍｐｔ）ように構成される。
【００１５】
本開示の別の態様によれば、この方法は、仮想プライベート・ネットワークの内部のデータベースにアクセスするステップを含むデータベース・アクセス・ステップを含む。
【００１６】
本開示の別の態様によれば、このシステムは、識別子に対応する発呼者識別情報が格納されたデータベースと、仮想プライベート・ネットワークから発生する呼を受信し、識別子を認識し、トリガに応答してアプリケーション・サーバと通信するように構成された移動交換局とを含む。このシステムは、データベースにアクセスし、呼を発呼者識別情報にリンクするように構成されたアプリケーション・サーバをも含む。
【００１７】
本開示の別の態様によれば、このシステムは、識別子が発信電話番号であることを含む。
【００１８】
本開示の別の態様によれば、このシステムは、トリガが、ユーザによって入力されたアクセス・コードによってアクティブ化されることを含む。
【００１９】
本開示の別の態様によれば、このシステムは、トリガが、入呼を受信することによってアクティブ化されることを含む。
【００２０】
本開示の別の態様によれば、このシステムは、仮想プライベート・ネットワークがセルラ仮想プライベート・ネットワークであることを含む。
【００２１】
本開示の別の態様によれば、このシステムは、呼が国際呼であること、および発呼者識別データにリンクされた国際呼を受信するように構成された被呼者の国に置かれた交換機を含む。
【００２２】
本開示の別の態様によれば、このシステムは、識別子に対応する発呼者識別データが格納されたデータベースと、仮想プライベート・ネットワークから発生した呼を発呼者データ情報にリンクするように構成されたリンキング・モジュールと、仮想プライベート・ネットワークから発生した呼を受信し、トリガに応答してリンキング・モジュールと通信するように構成された交換モジュールとを含む。
【００２３】
本開示の別の態様によれば、このシステムは、トリガに応答して呼をルーティングするように構成されたルーティング・モジュールを含む。
【００２４】
本開示の別の態様によれば、このシステムは、仮想プライベート・ネットワークの内部にあるデータベースを含む。
【００２５】
本開示の別の態様によれば、このシステムは、仮想プライベート・ネットワークがセルラ仮想プライベート・ネットワークであることを含む。
【００２６】
ここに述べられる諸実施形態は、装置の様々な部分および方法のステップの構成、配列および組合せで存在し、企図された目的は、下記により完全に述べられ、特許請求の範囲を具体的に示し、添付の図面に示されるように達成される。
【図面の簡単な説明】
【００２７】
【図１】通信網全体の一部を示す図である。
【図２】国際通信網の一部を示す図である。
【図３】本開示の方法を示すフローチャートである。
【図４】本開示のシステムの機能図である。
【発明を実施するための形態】
【００２８】
本開示の開示された実施形態を限定するためではなく、それを例示するためだけに示されている図面を次に参照すると、図１は、本開示が組み込まれ得るシステムの全体図を示している。通信基盤Ａが示されている。通信基盤は、ユーザ装置１０、１２と、通信タワー１４と、通信網１６と、交換機１８と、ルータ２０と、アプリケーション・サーバ２２と、データベース・サーバ２４と、企業電話システムの外側にあるディレクトリ・サーバ２６と、インターネット３０と、企業電話システムの内部のディレクトリ・サーバ３２と、企業電話システムの内部のゲートウェイ３４とを含む。これは、通信網の基盤Ａの単に一実施形態を表していることを理解されたい。本開示は、様々な通信網構成に組み込まれ得る。
【００２９】
動作において、以下により詳細に論じられるように、ここに述べられる諸実施形態は、仮想プライベート・ネットワーク内で発生する呼に識別データをリンクする方法を含む。本開示は、さもなければ発呼者識別データを表示しない呼に発呼者識別データをリンクすることを可能にする。これらの呼は一般に、ＶＰＮから発生している。構内交換機（ＰＢＸ：ｐｒｉｖａｔｅ  ｂｒａｎｃｈ  ｅｘｃｈａｎｇｅ）などのＶＰＮを通過する呼はしばしば、ＰＢＸの呼識別データを表示するにすぎない。たとえば、会社Ａの企業電話システムからの発信呼は、電話をかけている人の実際の電話番号ではなく、会社の代表電話番号を示すことがある。さらに、名前情報ブロックには、従業員Ａではなく、企業Ａが表示される。開示されたシステムおよび方法は、このデータをより正確な情報で満たすことを可能にする。
【００３０】
やはり図１を参照すると、ユーザ装置１０、１２は、それだけに限らないが、無線電話、ＶｏＩＰ電話、ラップトップ・コンピュータ、デスクトップ・コンピュータ、Ｗｉ−Ｆｉ電話などを含めて、様々な異なる通信装置に関連付けられ得る。これらのエンド・デバイスは一般に、互換性のある回線を介して通信するために使用される消費者宅内機器である。一般に、ユーザ装置１２は、セルラ・タワー１４に接続する携帯電話である。
【００３１】
セルラ・タワー１４は、通信網１６と通信している。通信網１６は、交換機１８とも通信している。交換機は、ルータ２０およびアプリケーション・サーバ２２とも通信している。アプリケーション・サーバ２２は、データベース・サーバ２４およびディレクトリ・サーバ２６にもアクセスする。
【００３２】
インターネット３０は、通信用のネットワークとして使用することもできる。また企業電話システムは、インターネット３０と通信網１６の両方と通信状態にあることも可能である。企業電話システムは、数あるネットワーク要素のうちで特に挙げると、企業のディレクトリ・サーバ３２およびゲートウェイ３４からなり得る。
【００３３】
やはり図１を参照すると、呼は一般に、ユーザ装置１０、１２を通って発生する。ユーザ装置は、セルラ仮想プライベート・ネットワーク用の共通のエンド・デバイスである携帯電話１２で示されている。これらのネットワークは、ネットワークにアクセスするために、セルラ・タワー１４と通信する。
【００３４】
呼は、交換機１８で受信される。交換機が呼を受信するとき、呼は、トリガを引き起し得る。トリガは、様々な方法によってアクティブ化され得る。一実施形態では、トリガは、ＶＰＮからセルラ呼を受信することによってアクティブ化される。別の実施形態では、トリガは、呼の識別子によってアクティブ化される。別の実施形態では、トリガは、ユーザが入力したアクセス・コードによってアクティブ化される。別の実施形態では、トリガは、呼の宛先、すなわち国際呼、ネットワークの外部の呼などによってアクティブ化される。
【００３５】
呼は、それに識別子を有してもよい。識別子は、様々な属性によって特徴付けられ得る。識別子は、エンド・デバイスの電子シリアル番号を含み得る。識別子は、呼が行われたときに入力されたユーザ・アクセス・コードとすることもできる。識別子は、どのエンド・デバイスが呼を行っているかということ、すなわちコンピュータであるとか、Ｗｉ−Ｆｉ電話であるといったこととすることもできる。識別子は、呼を発呼者識別データに一致させるために使用される。これについて、以下により詳細に説明される。
【００３６】
呼が交換機によって受信されるとき、トリガが開始される。交換機１８は、アプリケーション・サーバ２２に呼をルーティングする。アプリケーション・サーバ２２は、ネットワーク構成およびトリガに応じて、呼に関する様々なオプションを実施してもよい。たとえば、アプリケーション・サーバ２２は、それが国際呼（図２でより詳細に説明される）である場合、呼を引き継いでもよい。アプリケーション・サーバ２２は、それがそのネットワーク・パラメータ外にある場合、呼を拒否することもできる。アプリケーション・サーバ２２は、呼を単にＭＳＣ１８に送り返すことによって呼を進めることを可能にすることもできる。一実施形態では、アプリケーション・サーバ２２は、呼を発呼者識別データにリンクするためにデータベース２４にアクセスし、次いで、完了させるために呼をＭＳＣ１８に返す。
【００３７】
データベース・サーバ１８は、様々な方法で取込みが行われてもよい。一実施形態では、外部ディレクトリ・サーバ２６は、データベース・サーバ２４への取込みのために情報を有する。別の実施形態では、ディレクトリ・サーバ２６は、企業システムの内部にある。この形では、企業電話番号はすべて、ディレクトリ・サーバ３２に格納され、データベース・サーバ２４によってアクセスされ、アプリケーション・サーバ２２が、呼識別データを呼にリンクするためにデータベース・サーバ２４および／またはディレクトリ・サーバ２６、３２に問い合わせ得る。
【００３８】
この方法は、ＶｏＩＰシステムに特に有用であり得る。一般に企業電話システムの内部にあるＶｏＩＰゲートウェイ３４は、インターネットを介して使用可能であり、アプリケーション・サーバ２２を通じてアクセス可能であり得る。任意の形では、データベース・サーバ２４は、入呼をその識別子によって発呼者識別データにリンクするのに必要な情報を有する。
【００３９】
発呼者情報データは、様々なメッセージとすることもできる。ある形では、発呼者情報データは、電話をかけている人の名前および番号である。別の形では、それは挨拶である。ネットワーク管理者は、必要であると見なされるどんな識別子にも従ってデータベースを参照してもよい。発呼者情報データは、表示したいと望む任意のメッセージとすることもできる。
【００４０】
次に、国際電話のためのシステムである図２を参照する。システム全体Ａに類似のこのシステムもまた、海外ＭＳＣ１８Ｂと海外通信網１６Ｂとを有する。このシステムＢは、海外ルータ２０Ｂをも有する。このシステムでは、呼は、エンド・デバイス１２から、異なる国にあるエンド・デバイス１２Ｂへと発生している。このシステムでは、ＭＳＣ１８が呼をアプリケーション・サーバ２２にルーティングすることを可能にするトリガがアクティブ化される。アプリケーション・サーバ２２は、発呼者識別データをリンクするときにこれが国際呼であることを認識する。一実施形態では、アプリケーション・サーバ２２は、呼を引き継ぎ、呼を海外ＭＳＣ１８Ｂにルーティングし、海外セルラ・エンド・デバイス１８Ｂへの呼を完了する。従来技術では、この状況下において、発呼者識別データは、受信側ユーザ装置１２Ｂを参照すると呼がローカルＰＢＸから発生しているように見えることになるので、ローカル呼を表すことになる。しかし、呼がアプリケーション・サーバ２２を通ってルーティングされるときに発呼者識別データがリンクされる場合は、発呼者識別データ表示は、アプリケーション・サーバ２２が呼にリンクしたものすべてを示す。要するに、このシステムは、エンド・デバイス１２Ｂの発呼者識別表示にローカルＰＢＸが表示されないように無効にされる。
【００４１】
この場合もやはり、発呼者識別データは、多くの形をとり得る。たとえば、発呼者情報データは、携帯電話が登録されている人の名前およびユーザ装置１２の番号であり得る。発呼者情報データは、「アメリカからの挨拶」などのメッセージであり得る。このシステムは、どのデータベース２４が呼識別子にリンクしているかに応じて様々な異なるメッセージを表示することができる。
【００４２】
次に、仮想プライベート・ネットワークから発生する呼に発呼者識別データをリンクするための方法である図３を参照する。この方法は、様々なソフトウェアおよびハードウェア構成によって実施されてもよいことを理解されたい。一実施形態では、この方法を実施するソフトウェアは、ＭｉＬｉｆｅ（登録商標）アプリケーション・サーバであり得るアプリケーション・サーバ２２内に常駐する。別の実施形態では、方法Ｃを実施するソフトウェアは、拡張サービス・マネージャ（ｅＳＭ：ｅｎｈａｎｃｅｄ  ｓｅｒｖｉｃｅ  ｍａｎａｇｅｒ）（図示せず）内にある。別の実施形態では、方法Ｂを実施するソフトウェアは、企業電話システム内に常駐する。本発明の諸実施形態を実施する適切なソフトウェア／ハードウェアは、任意の／すべての適切なネットワーク要素上に分散させることもできることを理解されたい。
【００４３】
方法Ｃは、（ステップ４０で）ＶＰＮから呼を開始することを含む。呼は、多くの使用可能なエンド・デバイスのうちのいずれか１つによって開始され得る。これらのエンド・デバイスは、携帯電話、Ｗｉ−Ｆｉ電話、デスクトップ・コンピュータ、ラップトップ・コンピュータなどを含む。開始からの呼は、ＶＰＮから、別のＶＰＮエンド・デバイスを含めた任意の数の可能な宛先までとなる。
【００４４】
この方法は、（ステップ４２で）ＭＳＣで呼を受信することに続く。ＭＳＣ１８は、様々な方法でアクティブ化され得るトリガを有する。一実施形態では、トリガは、呼び出されている宛先によってアクティブ化される。別の実施形態では、トリガは、呼を開始するユーザ装置によってアクティブ化される。別の実施形態では、トリガは単に、ＶＰＮから呼を受信するＭＳＣによってアクティブ化される。
【００４５】
次のステップは、（ステップ４４で）トリガがアクティブ化されるかどうか評価することである。トリガがアクティブ化される場合は、以下により詳細に説明されるように、様々なステップが実施されてもよい。トリガがアクティブ化されない場合は、呼は、アプリケーション・サーバ命令によってルーティングされる。ＭＳＣ１８は、呼を受信するとき、アプリケーション・サーバ２２と通信する。そしてアプリケーション・サーバ２２は、ＭＳＣが応答を待つ間、呼をどう扱うか指示する。ＭＳＣ１８は、応答を待つ間に時間切れになる場合、ＭＳＣ１８のデフォルト操作に応じて、通常通りに進み、呼を廃棄し、または別の要求を送り得ることに留意されたい。
【００４６】
この方法は、トリガがアクティブされた場合、（ステップ４６で）データベースにアクセスすることに続く。データベース２４は、呼識別子に応じて呼にリンクされる発呼者識別データが取り込まれている。データベース２４は、内部ディレクトリ・サーバ３２および／または外部ディレクトリ・サーバ２６からの番号、識別子および／またはメッセージが取り込まれてもよい。データベースは、識別子が認識されない場合には、デフォルト・メッセージを有することもできる。
【００４７】
方法Ｃは、（ステップ４８で）呼を発呼者識別データにリンクすることに続く。呼を発呼者識別データにリンクするステップは、呼がシステムを通過するときに呼が発信者ＩＤディスプレイ上に示すべきすべてのメッセージに呼を接続する。一般に、この発呼者識別データは、以前に格納され、かつ／または呼とリンクされた他のどんな発呼者識別データ情報をも無効にする。さらに、発呼者識別データは、呼にリンクされると、それが通信網を通って移動する間、他のデフォルト・コマンドによって無効にされ得ない。たとえば、呼が別のゲートウェイ、ＭＳＣおよび／またはＰＢＸに再ルーティングされる場合、発呼者情報データは置き換えられない。この意味で、被呼者のエンド・デバイス上の表示は、呼がどこでルーティングされたかに関係なく、リンクされた発呼者識別データを依然として表示する。
【００４８】
この方法は、（ステップ５０で）アプリケーション・サーバの命令によって呼をルーティングするステップで終了する。アプリケーション・サーバは、呼をたとえば別の国にルーティングすることを指示していることがある。その場合、その呼はやはりルーティングされ、発呼者識別データは、依然としてその呼にリンクされる。
【００４９】
次に、発呼者識別データを呼にリンクするシステムの機能図である図４を参照する。このシステムは、図１または図２に示されたシステムで実装されてもよい。このシステムは、様々な他の通信網で実装されてもよいことも理解されたい。このシステムを実装するソフトウェアは、１つまたは様々なネットワーク要素内に常駐してもよいことにも留意されたい。このシステムは、呼を開始する発信ユーザ装置６０と、ローカル交換モジュール６２と、リンキング・モジュール６４と、データベース６６と、ルーティング・モジュール６８と、海外交換モジュール７０と、被呼者に関連するエンド・デバイス７２とを含む。
【００５０】
呼は、エンド・デバイス６０から発生するとき、ローカル交換モジュール６２に進む。ローカル交換モジュールは、その中にトリガを有する。トリガがアクティブ化される場合、呼は、リンキング・モジュール６４に通信される。
【００５１】
リンキング・モジュールは、データベース６６と通信している。次いで、リンキング・モジュールは、呼を発呼者識別情報にリンクするためにデータベースに問い合わせてもよい。
【００５２】
データベース６６は、当技術分野で知られている様々な方法でデータが取り込まれてもよい。一実施形態では、データベース６６は、企業電話帳３２を用いてデータが取り込まれる。別の実施形態では、データベース６６は、公共電話帳２６を用いてデータが取り込まれる。任意の形では、データベース６６は、呼識別子に一致する発呼者識別データを含むようにデータが取り込まれる。
【００５３】
発呼者識別データは、様々なメッセージを含んでもよい。メッセージは、それだけに限らないが、発呼者のエンドユーザ装置の電話番号、挨拶、名前、市／州などを含む。発呼者識別データは、「会社Ａマネージャ」など、名前と共に役職、またはシステム管理者がデータベースへの取込みに使用することを選択する他の任意のメッセージを含み得る。
【００５４】
次いで、リンキング・モジュールは、呼をローカル交換モジュール６２に返し、このローカル交換モジュール６２は、呼をその適切な宛先にルーティングするためのルーティング・モジュール６８を組み込む。
【００５５】
一実施形態では、適切な宛先は海外宛先７２であり、その場合、それは、海外交換モジュール７０に呼をルーティングする命令を受信していることがある。こういうケースにより、リンクされた呼は、海外ＰＢＸを通過するとしても依然としてリンクされている。それによって、ＰＢＸが被呼者のエンド・デバイス７２にダイヤルして、呼を転送しているとしても、そのローカルのＰＢＸの番号は表示されない。そうではなく、呼にリンクされた発呼者情報データが、エンドユーザの表示装置に表示される。
【００５６】
上記説明は、本発明の特定の実施形態の開示を提供するものにすぎず、本開示をそれに限定するためのものではない。したがって、本開示は、上記に述べられた諸実施形態だけに限定されるものではない。より正確に述べると、当業者は本開示の範囲内に含まれる代替実施形態を考え得ると認識されている。
【図１】
2010515348.tif 000003
【図２】
2010515348.tif 000004
【図３】
2010515348.tif 000005
【図４】
2010515348.tif 000006
【手続補正書】
【提出日】平成21年9月9日(2009.9.9)
【手続補正１】
【補正対象書類名】特許請求の範囲
【補正対象項目名】全文
【補正方法】変更
【補正の内容】
【特許請求の範囲】
【請求項１】
仮想プライベート・ネットワークから発生する呼に発呼者識別データをリンクする方法であって、
移動交換局で、識別子を含む呼を受信するステップと、
トリガに応答して、発呼者識別データを含むデータベースにアクセスするステップと、
前記識別子によって前記呼を前記発呼者識別データにリンクするステップとを含む方法。
【請求項２】
前記呼がセルラ仮想プライベート・ネットワークから受信される、請求項１に記載の方法。
【請求項３】
前記トリガが、少なくとも部分的に前記識別子によってアクティブ化される、請求項１に記載の方法。
【請求項４】
呼を受信するステップが、前記識別子が、ユーザによって入力されたアクセス・コードであることを含む、請求項１に記載の方法。
【請求項５】
呼を受信するステップが、前記識別子がユーザ装置の電子シリアル番号であることを含む、請求項１に記載の方法。
【請求項６】
呼を受信するステップが、前記呼が国際呼であることを含む、請求項１に記載の方法。
【請求項７】
前記呼を海外ネットワーク装置にルーティングするステップをさらに含み、前記海外ネットワーク装置が、前記国際呼にリンクされた前記発呼者識別データを受け付けるように構成される、請求項６に記載の方法。
【請求項８】
データベースにアクセスするステップが、前記仮想プライベート・ネットワークの内部のデータベースにアクセスするステップを含む、請求項１に記載の方法。
【請求項９】
仮想プライベート・ネットワーク内で発生する、識別子を有する呼に発呼者識別データをリンクするためのシステムであって、
前記識別子に対応する前記発呼者識別データが格納されたデータベースと、
仮想プライベート・ネットワークから発生する前記呼を受信し、前記識別子を認識し、トリガに応答してアプリケーション・サーバと通信するように構成された移動交換局と、
前記データベースにアクセスし、前記呼を前記発呼者識別データにリンクするように構成された前記アプリケーション・サーバとを備えるシステム。
【請求項１０】
前記識別子が発信電話番号である、請求項９に記載のシステム。
【国際調査報告】
2010515348.tif 000007
2010515348.tif 000008